(57)【特許請求の範囲】
【請求項１】
入力される音響信号に対し、任意の音響効果をかけてステレオ出力する効果付与装置であって、
ステレオ出力する一方の側に、ＬＦＯによるディレイタイムの変調を行う第１のディレイ付与装置と、
ステレオ出力する他方の側に、上記第１のディレイ付与装置でかけられるディレイタイムの変調の平均値のディレイを付与する第２のディレイ付与装置とを有することを特徴とする効果付与装置。
【発明の詳細な説明】
【技術分野】
【０００１】
本発明は、効果付与装置に関する。
【背景技術】
【０００２】
音響効果の一つとして、ＬＦＯでディレイタイムを変調し元音と合わせることにより拡がり感や厚みを与えるコーラスがある。
【０００３】
他方、コーラスをステレオ出力する方法にはさまざまな方法があるが、図３に示すように、片方のチャンネルにディレイタイムを変調した音を、もうー方に元音を出力する方法があり、簡単な構成ではあるものの、拡がり感が十分に得られるため効果が高い。
【発明の開示】
【発明が解決しようとする課題】
【０００４】
しかし、この方法では先行音効果（ある音と、その音が数ｍｓ〜数１０ｍｓ程度遅れて違う場所から発せられた場合には、先行する音の場所から一つの音が出ているように感じられる効果）により定位が元音のチャンネル側に偏るという問題があった。
【０００５】
本発明は、以上のような問題に鑑み創案されたものであって、定位感が元音の方に偏らない効果付与装置を提供せんとするものである。
【課題を解決するための手段】
【０００６】
本発明の構成は、
入力される音響信号に対し、任意の音響効果をかけてステレオ出力する効果付与装置であって、
ステレオ出力する一方の側に、ＬＦＯによるディレイタイムの変調を行う第１のディレイ付与装置と、
ステレオ出力する他方の側に、上記第１のディレイ付与装置でかけられるディレイタイムの変調の平均値のディレイを付与する第２のディレイ付与装置とを有することを基本的な特徴としている。
【０００７】
上記構成によれば、元音の方にも第２のディレイ付与装置によって幾ばくかのディレイ効果が付与され、定位感が、元音の方に偏らなくなる（定位が揺れる）ため、両方のチャンネルにバランス良く定位するコーラス効果が得られるようになる。
【発明の効果】
【０００８】
本発明の上記構成によれば、元音の方にも第２のディレイ付与装置によって幾ばくかのディレイ効果が付与され、定位感が、元音の方に偏らなくなり、両方のチャンネルにバランス良く定位するコーラス効果が得られるようになるという優れた効果を奏し得ることになる。
【発明を実施するための最良の形態】
【０００９】
以下、本発明の実施の形態を図示例と共に説明する。
図１は、本発明の一実施形態に係る効果付与装置を有する電子ピアノのハードウェア構成の一例を示すブロック図である。図１において、ＣＰＵ２０２は、システムバス２００を介して図１中に示した各部を制御する。
【００１０】
ＲＯＭ２０４は、ＣＰＵ２０２において用いられるプログラムを記憶するプログラムメモリ（図示無し）や、少なくとも音色データを含む各種データを記憶するデータメモリ（図示なし）を有している。ＲＡＭ２０６は、ＣＰＵ２０２による制御において発生する各種のデータ等を一時的に記憶する。
【００１１】
電子ピアノには、操作パネル２０８、鍵盤２１０及びダンパーペダル２１２が設けられている。操作パネル２０８は、発生すべき楽音の音色を選択する音色スイッチ（図示なし）を含む各種状態設定のためのスイッチ等によって構成され、この操作パネル２０８から設定された情報はＣＰＵ２０２に供給される。
【００１２】
ダンパーペダル２１２の操作（踏込）状態はペダルスキャン回路２１２ａによって検出され、そのペダル情報がＣＰＵ２０２に提供される。ペダルスキャン回路２１２ａは、可変抵抗器で構成され、この可変抵抗器の抵抗値による電圧の変動などをダンパーペダル２１２の踏み込み量として検出する。ペダルスキャン回路２１２ａで検出されたダンパーペダル２１２の踏み込み量データは、ペダル情報として、ＣＰＵ２０２に送られる。
【００１３】
本実施形態の電子ピアノの鍵盤２１０は８８鍵からなり、各鍵にはそれぞれタッチセンサからなるキーボードスキャン回路２１０ａが設けられている。キーボードスキャン回路２１０ａは、演奏者の鍵盤２１０に対する演奏操作を検出して、押鍵された鍵の音高を示すキーコードや、押鍵・離鍵に対応して楽音の発生・消音タイミングを指示するノートオン・ノートオフ、押鍵速度に対応するキータッチなどの鍵盤演奏情報を出力する。キーボードスキャン回路２１０ａから出力される該鍵盤演奏情報はシステムバス２００を介してＣＰＵ２０２に供給される。
【００１４】
音源２１４は、同時に複数の発音を行なうため時分割制御されるチャンネルを備えたトーンジェネレータであり、複数のチャンネルすべての出力信号を累算して出力する。音源２１４では、鍵盤演奏情報に含まれる押鍵指示により、いずれかのチャンネルが割り当てられ、それぞれのチャンネルにおいて鍵盤演奏情報に対応する楽音信号が生成される。
【００１５】
波形メモリ２１４ａには、楽音情報の波形データが記憶されており、音源２１４は、波形メモリ２１４ａに記憶されている波形データを読み出す。そして、読み出した波形データに基づいて楽音信号を生成する。
【００１６】
上記音源２１４は、波形メモリ２１４ａから鍵操作に対応して波形データを読み出して楽音信号を生成するものであり、音色スイッチによって設定された音色の波形データを、ノートオンに応答して読み出す。波形データの読出アドレスの歩進はキーコードに対応した速度で行なわれる。すなわち、キーコードに対応する読出レートで波形データを読み出す。
【００１７】
楽音信号は、ＤＳＰ１００において構成される音響効果付与装置において、エフェクト処理がなされ、Ｄ／Ａ変換器２１６でアナログ信号に変換された後、サウンドシステム２１８に入力される。サウンドシステム２１８は、アンプやスピーカ等から構成されており、Ｄ／Ａ変換器２１６の出力信号を電子ピアノの出力として外部に発音させる。
【００１８】
上記楽音信号に対して、ＤＳＰ１００において様々なエフェクト処理がなされる際に使用されるが、そのエフェクト付与効果の一つとして、本実施例では、ＤＳＰ１００内でプログラムにより構成される、図２に示す効果付与装置の構成が用いられている。
【００１９】
即ち、本効果付与装置は、上記のようにＤＳＰ１００内で、必要に応じて、ＣＰＵ２０２により、ＲＯＭ２０４のＲＯＭ２０４内にあるプログラムメモリ（図示無し）からプログラムが読み出されることで構成されており、本構成の場合、ＤＳＰ１００内部に、入力される音響信号に対し、任意の音響効果をかけてステレオ出力する効果付与装置であって、その音響効果をかける構成の一つとして、ステレオ出力する一方の側に、ＬＦＯによるディレイタイムの変調を行う第１のディレイ付与装置１と、ステレオ出力する他方の側に、上記第１のディレイ付与装置１でかけられるディレイタイムの変調の平均値のディレイを付与する第２のディレイ付与装置２とを有している。
【００２０】
上記構成によれば、従来構成とは異なり、元音の方にも第２のディレイ付与装置２によってディレイ効果が付与され、定位感が、元音の方に偏らなくなる（定位が揺れる）ため、両方のチャンネルにバランス良く定位するコーラス効果が得られるようになる。
【００２１】
尚、本発明の効果付与装置は、上述の図示例にのみ限定されるものではなく、本発明の要旨を逸脱しない範囲内において種々変更を加え得ることは勿論である。
【産業上の利用可能性】
【００２２】
本発明の効果付与装置は、電子楽器だけでなく、ステレオ出力するものであれば、いかなる構成にも適用可能である。
【図面の簡単な説明】
【００２３】
【図１】本発明の一実施形態に係る効果付与装置を有する電子ピアノのハードウェア構成の一例を示すブロック図である。
【図２】ＤＳＰ１００内でプログラムにより構成される本実施例にかかる効果付与装置の構成を示す回路概要図である。
【図３】従来のコーラス効果を付与する構成の説明図である。
【符号の説明】
【００２４】
１        第１のディレイタイム付与装置
２        第２のディレイ付与装置
１００        ＤＳＰ
１２０        外部メモリ
２００        システムバス
２０２        ＣＰＵ
２０４        ＲＯＭ
２０６        ＲＡＭ
２０８        操作パネル
２０８ａ      パネルスキャン回路
２１０        鍵盤
２１０ａ      キーボードスキャン回路
２１２        ダンパーペダル
２１２ａ      ペダルスキャン回路
２１４        音源
２１４ａ      波形メモリ
２１６        Ｄ／Ａ変換器
２１８        サウンドシステム
【図１】
0006549945.tif 000002
【図２】
0006549945.tif 000003
【図３】
0006549945.tif 000004